(57)【要約】      （修正有）【課題】美観を損なわない外周フレームを有する太陽電池モジュール。【解決手段】屋根材と一体化した太陽電池モジュールまたは、屋根の上に設置して用いる太陽電池モジュールで、長辺と短辺の比が２：１以上の外周フレーム付き長方形太陽電池モジュールであって、少なくとも長辺を構成する外周フレーム材の一方の色が色差計におけるｂ値が１．５から２．５の範囲にあり、かつ太陽電池部分との色差が８以下であり、該太陽電池がシリコンを活性層とする薄膜太陽電池で形成されてなる太陽電池モジュールを用いる、または、該モジュールの少なくとも外周の一辺には外周フレームがついておらず、該外周フレームのない辺の内側に隣接する別の太陽電池モジュールと接続するための接続部材が設けられている太陽電池モジュールを用いることにより解決できる。【選択図】    図３
2006100840.tif 000002
【特許請求の範囲】
【請求項１】
屋根材と一体化した太陽電池モジュールまたは、屋根の上に設置して用いる太陽電池モジュールで、長辺と短辺の比が２：１以上の外周フレーム付き長方形太陽電池モジュールであって、少なくとも長辺を構成する外周フレーム材の一方の色が色差計におけるｂ値が１．５から２．５の範囲にあり、かつ太陽電池部分との色差が８以下であり、該太陽電池がシリコンを活性層とする薄膜太陽電池で形成されてなる太陽電池モジュール。
【請求項２】
屋根材と一体化した太陽電池モジュールまたは、屋根の上に設置して用いる外周フレーム付き太陽電池モジュールであって、該モジュールの少なくとも外周の一辺には外周フレームがついておらず、該外周フレームのない辺の内側に隣接する別の太陽電池モジュールと接続するための接続部材が設けられている太陽電池モジュール。
【請求項３】
該外周フレームのない辺の内側の接続部材が太陽電池裏面に設けられた封止材料の中に埋設されていることを特徴とする請求項第２項記載の太陽電池モジュール。
【発明の詳細な説明】
【技術分野】
【０００１】
本発明は家屋、建物の屋根に設置する太陽電池モジュールに関するものである。
【背景技術】
【０００２】
近年、太陽光発電システムの実用化と低コスト化技術の開発が進められている。特に次世代の太陽電池として太陽電池として注目を集めているのが、薄膜シリコン太陽電池である。薄膜シリコン太陽電池はシリコンウエハーを用いる単結晶シリコン太陽電池や多結晶シリコン太陽電池などに比べて製造に要する原料が少なく、大面積の集積型太陽電池としてガラスなどの基板に直接作成が容易なことから、低コストの太陽電池として注目されている。また、屋根に設置する場合においても、大面積でかつ矩形状のモジュールとして作成可能なため、現在の家屋の洋瓦として代替ができ、数インチサイズの円形ウエハータイプの太陽電池のように美観を損ねることが少ない。
【０００３】
また、昨今、太陽電池モジュールを屋根の上に設置して住宅で消費する電力をまかなうと共に、余剰電力を電力会社に売却するいわゆる系統連係システムの普及によって一般戸建て住宅を対象とした太陽光発電システムが増加している。その際、住宅の屋根に設置することを前提としているため、その建物自体や周辺の住宅との美観が重要になっている。
【０００４】
それゆえ、形状を屋根瓦と類似させた形状の太陽電池モジュールを屋根瓦として用いるものが好ましく、１例として、図１に示したようなコロニアルタイプのモジュールが提案されている（意匠７５２７７号）。このモジュールは通常の瓦の一部を太陽電池に置き換えるだけで発電システムとして利用でき、外観も良好である。ただし、このモジュールは図２のように設置するため、外部に現れる発電部分２がモジュール全体の僅かの部分でしかなく、太陽電池の製造において、製造設備が大きくなりコスト的に不利が生じる。また、釘で打ちつけるなど設置がめんどうであるなどの短所を有する。
【発明の開示】
【発明が解決しようとする課題】
【０００５】
これに代わるモジュールとして図２に示した連結型モジュールが提案されている。これは、隣接する上下のモジュールを簡易に接続できる構造の外周フレーム３、４を用いて連結するもので比較的無駄のない安価なモジュールを容易に施工することができる。このモジュールはコロニアル瓦タイプのモジュールと比較して外周フレームを用いることができるため、強度面でも有利でありモジュールの重なり合う部分が僅かしかないためコスト的にも有利である。しかし、このモジュールの場合、上下をつなぐ接続機能を持つ外周フレームが表面に露出し、目立つため、住宅の屋根としての美観を損なうという問題点がある。また、外周フレームの中でも下部側の外周フレームは下から見上げた時にはさらによく目立つという欠点を有する。このため、本発明者らはこれら問題点を解決し、フレームが接続機能を果たしかつ美観にもすぐれたモジュールを発明するに至った。
【課題を解決するための手段】
【０００６】
上記課題に基づき、屋根材と一体化した太陽電池モジュールまたは、屋根の上に設置して用いる太陽電池モジュールで、長辺と短辺の比が２：１以上のフレーム付き長方形太陽電池モジュールであって、少なくとも長辺を構成するフレーム材３の一方の色が色差計におけるｂ値が１．５から２．５の範囲にあり、かつ太陽電池部分５との色差が８以下であり、該太陽電池がシリコンを活性層とする薄膜太陽電池で形成されてなる太陽電池モジュールまたは屋根材と一体化した太陽電池モジュール、または屋根材と一体化した太陽電池モジュールまたは、屋根の上に設置して用いる太陽電池モジュールであって、該モジュールの少なくとも外周の一辺には外周フレームがついておらず、該外周フレームのない辺の内側に隣接する別の太陽電池モジュールと接続するための接続部材が設けられている太陽電池モジュール、さらには上記該外周フレームのない辺の内側の接続部材が太陽電池裏面に設けられた封止材料の中に埋設されていることを特徴とする太陽電池モジュール用いることで解決し、美観と機能面で価値の高い太陽電池モジュールを作製できることを見出した。
【発明の効果】
【０００７】
本発明の構成により、フレームが見えにくく洋瓦としての美観を保ったモジュールが簡易に作製できることを確認した。
【発明を実施するための最良の形態】
【０００８】
本発明請求項１に関わる長方形太陽電池モジュールにおいては、長方形の長辺と短辺の比は２：１以上の横長タイプが好ましく、３：１以上であることがより好ましい。それ以下の場合には、屋根瓦、特に洋瓦の代替としての美観を保持することができない。また色差計のｂ値は１．５から２．５であることが必要で、２．５を越えるとフレームの色彩が目立ち太陽電池モジュールを瓦の代替えとして用いる場合、瓦全体としての美観を損なうことになる。また、１．５以下の時には落ち着きはでてくるが、機械的な冷たさを感じさせやはり美観に影響を与える。
【０００９】
一方、本発明者らが薄膜シリコン部分の膜厚を３００ｎｍ〜５００ｎｍに変えて作製した４０枚の太陽電池モジュールにおいては、太陽電池部分５のｂ値は最大で２．７、最小で１．２であり平均値は２．０４であった。測定個所は各々のモジュールで３カ所、合計１２０カ所である。なお、色差計には日本電色社製ＳＺ−Σ９０を用いて測定した。
【００１０】
上記太陽電池部分５に対し、フレームのｂ値が１．５〜２．５でかつ色差が８以内の場合にはフレームの存在感をなくすことができる。また、ａ値については美観との相関関係は見られない。フレームのｂ値を上記範囲にする方法としてはどんな方法でも良く、その範囲になるよう塗料を適宜混合し、塗装することで、フレームを作製することや、ｂ値がその範囲の材質でフレームを作製してもよい。また、太陽電池としてはシリコンを活性層とする薄膜太陽電池であればよく、アモルファスシリコンおよび、多結晶シリコンを含むアモルファスシリコン太陽電池等が好適に用いられる。
【００１１】
また、請求項２に関わるモジュールの基本構造の概略図を図５に、図６に設置例を示した。このモジュールは図３、図４の構造に比べ、従来あるべき外周フレームの下部の一辺がなく、モジュールの内側面内に内側フレームがあり、隣接する太陽電池の上部の外周フレームとネジ止めされる接続部材となっている。接続する方法としてはどんな方法でもよく、ネジ止めに限らず、はめ込み式にしてもよい。
【００１２】
なお、内側フレームを用いずに、太陽電池裏面に設けられた封止材料（例えばＥＶＡ）の中に接続治具の一部を埋め込ませるようにして取り付け、それを接続部材として用いることも可能である。
【実施例】
【００１３】
以下実施例にて、説明する。
【００１４】
（実施例１、２  比較例１〜５）
面積９０ｃｍ×３０ｃｍのソーダライムガラス上に透明導電膜を形成し、通常のプラズマＣＶＤ法でアモルファスシリコンを積層し、太陽電池を作製した。太陽電池の裏面電極としてはＡｇを用いた。その裏面側に裏面封止用のＥＶＡシート、絶縁用のフッ素フィルムをおいた後、真空ラミネータで封止した。この太陽電池４辺にそれぞれ９０ｃｍのアルミニウム製フレーム２本と３０ｃｍのフレーム２本をシリコン樹脂を用いて取り付けネジ止めした太陽電池モジュールを７セット作製した。また、黒、茶、赤の塗料（それぞれ日本塗装工業会表示でＴＮ−１０、Ｔ０９−３０Ｐ、Ｔ０５−４０Ｖ）を任意に混合した７種類の塗料を用意し、各々のモジュールの４辺の外周フレームにはそれぞれの塗料で着色を施した。そして、その平均値と太陽電池の中心部分との色差を測定した。それぞれの外観を屋外で観察した結果を表１に示す。
【００１５】
【表１】
2006100840.tif 000003
さらに、表１における実施例２と比較例１のモジュールを各７セット作製し図３に示したように鉄板を貼った疑似屋根上に配置して施工性と外観を調べた。なお、長辺のフレームは２種類の簡易ジョイントになっており、互いに勘合できる機能を持たせることで接続している。それぞれの施工性は問題はなかったが、２０ｍ離れて観測した結果、実施例２の美観が圧倒的に比較例１より優れておりフレームの存在を感じさせない屋根となった。
【００１６】
（実施例３）
実施例１，２と同じく面積９０ｃｍ×３０ｃｍのソーダライムガラス上に透明導電膜、アモルファスシリコン、裏面金属Ａｇを形成し、その裏面側に裏面封止用のＥＶＡシート、絶縁用のフッ素フィルムをおいた後、真空ラミネータで封止し太陽電池を作製した。さらに１長辺を除く３辺にシリコン樹脂を用いて外周フレームを取り付けネジ止めした。最後にフッ素系フィルムの上の適切な位置にシリコン樹脂を塗ってから最後に内側に外周フレームと同じ材質の内側フレームを密着させ短辺側の外周フレームに内側フレームをネジ止めしたのちシリコン樹脂を硬化させてモジュールを完成させた。リード線は通常の手法でモジュール中央から取り出しシリコン樹脂でポッティングした。このようにして図５に示すモジュールを作製した。こうして作製された同じ形状のモジュールを７枚用意したのち、鉄板を貼った疑似屋根上に図６のように配置して施工性を調べた。それぞれのモジュールは内側フレームに配した接続用雄型治具と隣接する太陽電池モジュールの上部外周フレームに取り付けた雌型治具とをかみ合わすことで接続している。また、各モジュール間はシーラントを流し込んで隙間をなくすことも可能である。
【００１７】
この屋根を２０ｍ離れて観察したところ、従来の屋根瓦に比べ遜色のない外観が得られた。また、実施例の屋根を直近から見上げて観察したところ、下部フレームが見えない構造であることから、すっきりした外観であった。なお、実施例とは異なりモジュールの配列を互い違いではなく単純に直列に並べても良い。
【図面の簡単な説明】
【００１８】
【図１】コロニアル瓦タイプの太陽電池モジュール
【図２】コロニアル瓦タイプ太陽電池モジュールの設置例
【図３】外周フレーム付き太陽電池モジュールの外観図
【図４】外周フレーム付き太陽電池モジュールの設置例
【図５】本発明請求項２に関わる接続用内側フレーム付き太陽電池モジュール
【図６】接続用内側フレーム付き太陽電池のモジュール設置例
【符号の説明】
【００１９】
１  コロニアル瓦太陽電池モジュールのガラス基板
２  コロニアル瓦太陽電池モジュールの太陽電池部分
３  外周フレーム付き太陽電池モジュールの太陽電池部分
４  外周フレーム
５  内側フレーム
【図１】
2006100840.tif 000004
【図２】
2006100840.tif 000005
【図３】
2006100840.tif 000006
【図４】
2006100840.tif 000007
【図５】
2006100840.tif 000008
【図６】
2006100840.tif 000009
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
屋根の上に設置して用いる外周フレーム付き太陽電池モジュールであって、該太陽電池モジュールの少なくとも外周の一辺には外周フレームがついておらず、隣接する別の太陽電池モジュールと接続するための接続部材が、該太陽電池モジュールの該外周フレームの無い辺の内側下面に設けられている太陽電池モジュール。
【請求項２】
前記接続部材が、太陽電池裏面に設けられた封止材料上に設けられていることを特徴とする請求項第１項記載の太陽電池モジュール。
【請求項３】
請求項１または２に記載の太陽電池モジュールを屋根に設置する設置構造であって、該屋根を直近から見上げた場合に下部フレームが見えない構造である太陽電池モジュールの設置構造。
【手続補正２】
【補正対象書類名】明細書
【補正対象項目名】０００５
【補正方法】変更
【補正の内容】
【０００５】
これに代わるモジュールとして図３に示した連結型モジュールが提案されている。これは、隣接する上下のモジュールを簡易に接続できる構造の外周フレーム３、４を用いて連結するもので比較的無駄のない安価なモジュールを容易に施工することができる。このモジュールはコロニアル瓦タイプのモジュールと比較して外周フレームを用いることができるため、強度面でも有利でありモジュールの重なり合う部分が僅かしかないためコスト的にも有利である。しかし、このモジュールの場合、上下をつなぐ接続機能を持つ外周フレームが表面に露出し、目立つため、住宅の屋根としての美観を損なうという問題点がある。また、外周フレームの中でも下部側の外周フレームは下から見上げた時にはさらによく目立つという欠点を有する。このため、本発明者らはこれら問題点を解決し、フレームが接続機能を果たしかつ美観にもすぐれたモジュールを発明するに至った。
【手続補正３】
【補正対象書類名】明細書
【補正対象項目名】０００６
【補正方法】変更
【補正の内容】
【０００６】
上記課題に基づき、屋根の上に設置して用いる太陽電池モジュールであって、該太陽電池モジュールの少なくとも外周の一辺には外周フレームがついておらず、隣接する別の太陽電池モジュールと接続するための接続部材が、該太陽電池モジュールの外周フレームのない辺の内側下面に設けられている太陽電池モジュール、さらには上記該外周フレームのない辺の内側の接続部材が太陽電池裏面に設けられた封止材料上に設けられていることを特徴とする太陽電池モジュール用いることで解決し、美観と機能面で価値の高い太陽電池モジュールを作製できることを見出した。
【手続補正４】
【補正対象書類名】明細書
【補正対象項目名】０００８
【補正方法】変更
【補正の内容】
【０００８】
本発明の太陽電池モジュールは長方形太陽電池モジュールであって、長方形の長辺と短辺の比は２：１以上の横長タイプが好ましく、３：１以上であることがより好ましい。それ以下の場合には、屋根瓦、特に洋瓦の代替としての美観を保持することができない。また色差計のｂ値は１．５から２．５であることが必要で、２．５を越えるとフレームの色彩が目立ち太陽電池モジュールを瓦の代替えとして用いる場合、瓦全体としての美観を損なうことになる。また、１．５以下の時には落ち着きはでてくるが、機械的な冷たさを感じさせやはり美観に影響を与える。
【手続補正５】
【補正対象書類名】明細書
【補正対象項目名】００１０
【補正方法】変更
【補正の内容】
【００１０】
上記太陽電池部分に対し、フレームのｂ値が１．５〜２．５でかつ色差が８以内の場合にはフレームの存在感をなくすことができる。また、ａ値については美観との相関関係は見られない。フレームのｂ値を上記範囲にする方法としてはどんな方法でも良く、その範囲になるよう塗料を適宜混合し、塗装することで、フレームを作製することや、ｂ値がその範囲の材質でフレームを作製してもよい。また、太陽電池としてはシリコンを活性層とする薄膜太陽電池であればよく、アモルファスシリコンおよび、多結晶シリコンを含むアモルファスシリコン太陽電池等が好適に用いられる。
【手続補正６】
【補正対象書類名】明細書
【補正対象項目名】００１１
【補正方法】変更
【補正の内容】
【００１１】
また、請求項１に関わるモジュールの基本構造の概略図を図５に、図６に設置例を示した。このモジュールは図３、図４の構造に比べ、従来あるべき外周フレームの下部の一辺がなく、モジュールの内側面内に内側フレームがあり、隣接する太陽電池の上部の外周フレームとネジ止めされる接続部材となっている。接続する方法としてはどんな方法でもよく、ネジ止めに限らず、はめ込み式にしてもよい。
【手続補正７】
【補正対象書類名】明細書
【補正対象項目名】００１４
【補正方法】変更
【補正の内容】
【００１４】
（参考例１、２ 比較例１〜５）
面積９０ｃｍ×３０ｃｍのソーダライムガラス上に透明導電膜を形成し、通常のプラズマＣＶＤ法でアモルファスシリコンを積層し、太陽電池を作製した。太陽電池の裏面電極としてはＡｇを用いた。その裏面側に裏面封止用のＥＶＡシート、絶縁用のフッ素フィルムをおいた後、真空ラミネータで封止した。この太陽電池４辺にそれぞれ９０ｃｍのアルミニウム製フレーム２本と３０ｃｍのフレーム２本をシリコン樹脂を用いて取り付けネジ止めした太陽電池モジュールを７セット作製した。また、黒、茶、赤の塗料（それぞれ日本塗装工業会表示でＴＮ−１０、Ｔ０９−３０Ｐ、Ｔ０５−４０Ｖ）を任意に混合した７種類の塗料を用意し、各々のモジュールの４辺の外周フレームにはそれぞれの塗料で着色を施した。そして、その平均値と太陽電池の中心部分との色差を測定した。それぞれの外観を屋外で観察した結果を表１に示す。
【手続補正８】
【補正対象書類名】明細書
【補正対象項目名】００１５
【補正方法】変更
【補正の内容】
【００１５】
【表１】
2006100840.tif 000010
さらに、表１における参考例２と比較例１のモジュールを各７セット作製し図４に示したように鉄板を貼った疑似屋根上に配置して施工性と外観を調べた。なお、長辺のフレームは２種類の簡易ジョイントになっており、互いに勘合できる機能を持たせることで接続している。それぞれの施工性は問題はなかったが、２０ｍ離れて観測した結果、参考例２の美観が圧倒的に比較例１より優れておりフレームの存在を感じさせない屋根となった。
【手続補正９】
【補正対象書類名】明細書
【補正対象項目名】００１６
【補正方法】変更
【補正の内容】
【００１６】
（実施例１）
参考例１，２と同じく面積９０ｃｍ×３０ｃｍのソーダライムガラス上に透明導電膜、アモルファスシリコン、裏面金属Ａｇを形成し、その裏面側に裏面封止用のＥＶＡシート、絶縁用のフッ素フィルムをおいた後、真空ラミネータで封止し太陽電池を作製した。さらに１長辺を除く３辺にシリコン樹脂を用いて外周フレームを取り付けネジ止めした。最後にフッ素系フィルムの上の適切な位置にシリコン樹脂を塗ってから最後に内側に外周フレームと同じ材質の内側フレームを密着させ短辺側の外周フレームに内側フレームをネジ止めしたのちシリコン樹脂を硬化させてモジュールを完成させた。リード線は通常の手法でモジュール中央から取り出しシリコン樹脂でポッティングした。このようにして図５に示すモジュールを作製した。こうして作製された同じ形状のモジュールを７枚用意したのち、鉄板を貼った疑似屋根上に図６のように配置して施工性を調べた。それぞれのモジュールは内側フレームに配した接続用雄型治具と隣接する太陽電池モジュールの上部外周フレームに取り付けた雌型治具とをかみ合わすことで接続している。また、各モジュール間はシーラントを流し込んで隙間をなくすことも可能である。
【手続補正１０】
【補正対象書類名】明細書
【補正対象項目名】００１８
【補正方法】変更
【補正の内容】
【００１８】
【図１】コロニアル瓦タイプの太陽電池モジュール
【図２】コロニアル瓦タイプ太陽電池モジュールの設置例
【図３】外周フレーム付き太陽電池モジュールの外観図
【図４】外周フレーム付き太陽電池モジュールの設置例
【図５】本発明請求項１に関わる接続用内側フレーム付き太陽電池モジュール
【図６】接続用内側フレーム付き太陽電池のモジュール設置例